【手続補正書】
【提出日】平成16年5月28日(2004.5.28)
【手続補正１】
【補正対象書類名】明細書
【補正対象項目名】発明の名称
【補正方法】変更
【補正の内容】
【発明の名称】通信装置、通信方法、画像形成装置並びに画像形成システム
【手続補正２】
【補正対象書類名】明細書
【補正対象項目名】特許請求の範囲
【補正方法】変更
【補正の内容】
【特許請求の範囲】
【請求項１】
ネットワークを介して受信した電子データをもとに、画像データを形成して出力する通信装置であって、
所定の文字コードからなるデータを受信する受信手段と、
前記受信手段で受信したデータを解析して、文字コードによりエンコードされたバイナリデータを抽出する抽出手段と、
前記抽出手段で抽出した前記文字コードによりエンコードされたバイナリデータを画像データに変換する変換手段とを有することを特徴とする通信装置。
【請求項２】
前記抽出手段は、前記文字コードによりエンコードされたバイナリデータの部分と、それ以外の部分とを識別する文字データ解析手段を有することを特徴とする請求項１記載の通信装置。
【請求項３】
前記変換手段が、前記文字コードによりエンコードされたバイナリデータを元のバイナリデータに復元するデコード手段と、前記復元されたバイナリデータを展開して、画像データを形成するデータ展開手段の少なくとも一方を含むことを特徴とする請求項１記載の通信装置。
【請求項４】
前記変換手段が、前記文字コードによりエンコードされたバイナリデータを画像データに変換することが可能か否かを判定する第１の判定手段と、前記第１の判定手段が変換不可と判断した場合、外部機器に前記変換を依頼する制御手段とを更に有することを特徴とする請求項３記載の通信装置。
【請求項５】
前記制御手段は、前記抽出手段が前記文字コードによりエンコードされたバイナリデータを複数種類抽出した場合には、前記第１の判定手段により変換不可と判定されたバイナリデータのみを選択して前記外部機器に変換を依頼することを特徴とする請求項４記載の通信装置。
【請求項６】
前記第１の判定手段は、受信したデータのうち、文字コードによりエンコードされたバイナリデータ以外の文字データ部分の、前記バイナリデータに関する情報に基づいて前記判定を行うことを特徴とする請求項４記載の通信装置。
【請求項７】
前記受信手段による受信セッション中に、前記文字コードによりエンコードされたバイナリデータを画像データに変換することが可能か否かを判定する第２の判定手段と、前記第２の判定手段の判定結果を前記受信セッションにおいて受信データの送信元に通知する第１の通知手段とを更に有することを特徴とする請求項１記載の通信装置。
【請求項８】
前記受信手段はＳＭＴＰ(Simple Mail Transfer Protocol)に基づきデータを受信し、
前記第１の通知手段はＳＭＴＰ手順における応答信号において前記第２の判定手段の判定結果を送信元に通知することを特徴とする請求項７記載の通信装置。
【請求項９】
前記第２の判定手段が変換不可と判定した場合に、前記第１の通知手段が通知した通知内容を前記受信セッション終了後の別のセッションにおいて前記送信元に通知する第２の通知手段を更に有することを特徴とする請求項７記載の通信装置。
【請求項１０】
前記受信手段が受信したデータのうち、前記文字コードによりエンコードされたバイナリデータ以外の文字データ部分から送信元の言語種別を判別する判別手段を更に有し、
前記第２の通知手段は、前記判別手段が判別した言語種別に対応した通知内容を通知することを特徴とする請求項９記載の通信装置。
【請求項１１】
前記受信手段による受信セッション中に、前記文字コードによりエンコードされたバイナリデータをデコードすることが可能か否かを判定する第３の判定手段を更に有し、
前記第１の通知手段は、前記第３の判定手段の判定結果を前記受信セッションにおいて受信データの送信元に通知することを特徴とする請求項７記載の通信装置。
【請求項１２】
前記第３の判定手段がデコード不可と判定した場合に、前記第１の通知手段が通知した通知内容を前記受信セッション終了後の別のセッションにおいて前記送信元に通知する第３の通知手段を更に有することを特徴とする請求項１１記載の通信装置。
【請求項１３】
前記受信手段が受信したデータのうち、前記文字コードによりエンコードされたバイナリデータ以外の文字データ部分から送信元の言語種別を判別する判別手段を更に有し、
前記第３の通知手段は、前記判別手段が判別した言語種別に対応した通知内容を通知することを特徴とする請求項１２記載の通信装置。
【請求項１４】
請求項１乃至１３のいずれかに記載の通信装置を有する画像形成装置。
【請求項１５】
請求項１乃至１３のいずれかに記載の通信装置と、画像形成装置とが相互に通信可能に接続された画像形成システム。
【請求項１６】
ネットワークを介して受信した電子データをもとに、画像データを形成して出力する通信装置の通信方法であって、
所定の文字コードからなるデータを受信する受信工程と、
前記受信工程で受信したデータを解析して、文字コードによりエンコードされたバイナリデータを抽出する抽出工程と、
前記抽出工程で抽出した前記文字コードによりエンコードされたバイナリデータを画像データに変換する変換工程とを有することを特徴とする通信方法。
【請求項１７】
ネットワークを介して受信した電子データをもとに、画像データを形成して出力する通信装置のプログラムコードが記憶されたコンピュータが読み取り可能な記憶媒体であって、
所定の文字コードからなるデータを受信する受信工程のプログラムコードと、
前記受信工程で受信したデータを解析して、文字コードによりエンコードされたバイナリデータを抽出する抽出工程のプログラムコードと、
前記抽出工程で抽出した前記文字コードによりエンコードされたバイナリデータを画像データに変換する変換工程のプログラムコードとを有することを特徴とするコンピュータが読み取り可能な記憶媒体。
【手続補正３】
【補正対象書類名】明細書
【補正対象項目名】０００１
【補正方法】変更
【補正の内容】
【０００１】
【発明の属する技術分野】
本発明は、電子メールやワードプロセッサ情報等の電子情報メディアとファクシミリ・メディア間の情報交換が可能な通信装置及び通信方法に関するものである。
また、本発明は、このような通信装置又は通信方法を用いる画像形成装置及び画像形成システムに関する。
【手続補正４】
【補正対象書類名】明細書
【補正対象項目名】００１１
【補正方法】変更
【補正の内容】
【００１１】
本発明の目的は、上述の問題点を解決した通信装置及び通信方法の提供にある。また、本発明の別の目的は、上述の問題点を解決した通信装置及び通信方法を利用した画像形成装置並びに画像形成システムを提供することにある。
【手続補正５】
【補正対象書類名】明細書
【補正対象項目名】００１２
【補正方法】変更
【補正の内容】
【００１２】
【課題を解決するための手段】
すなわち、本発明の要旨は、ネットワークを介して受信した電子データをもとに、画像データを形成して出力する通信装置であって、所定の文字コードからなるデータを受信する受信手段と、受信手段で受信したデータを解析して、文字コードによりエンコードされたバイナリデータを抽出する抽出手段と、抽出手段で抽出した文字コードによりエンコードされたバイナリデータを画像データに変換する変換手段とを有することを特徴とする通信装置に存する。
また、本発明の別の要旨は、本発明の通信装置を用いた画像形成装置及び本発明の通信装置を用いた通信装置と画像形成装置とが相互に通信可能に接続された画像形成システムに存する。
【手続補正６】
【補正対象書類名】明細書
【補正対象項目名】００１３
【補正方法】変更
【補正の内容】
【００１３】
また、本発明の別の要旨は、ネットワークを介して受信した電子データをもとに、画像データを形成して出力する通信装置の通信方法であって、所定の文字コードからなるデータを受信する受信工程と、受信工程で受信したデータを解析して、文字コードによりエンコードされたバイナリデータを抽出する抽出工程と、抽出工程で抽出した文字コードによりエンコードされたバイナリデータを画像データに変換する変換工程とを有することを特徴とする通信方法に存する。
また、本発明の別の要旨は、ネットワークを介して受信した電子データをもとに、画像データを形成して出力する通信装置のプログラムコードが記憶されたコンピュータが読み取り可能な記憶媒体であって、所定の文字コードからなるデータを受信する受信工程のプログラムコードと、受信工程で受信したデータを解析して、文字コードによりエンコードされたバイナリデータを抽出する抽出工程のプログラムコードと、抽出工程で抽出した文字コードによりエンコードされたバイナリデータを画像データに変換する変換工程のプログラムコードとを有することを特徴とするコンピュータが読み取り可能な記憶媒体に存する。